(57)【要約】【課題】キャリア周波数点を探索するための方法及び装置を提供する。【解決手段】かかる方法は、周波数間隔に基づいて周波数帯域内の全ての検出待ち周波数点を確定し；ステップ長さに基づいて全ての検出待ち周波数点のうちの一部をサンプリング周波数点として選択し、選択した各サンプリング周波数点に対して該サンプリング周波数点の初期PARを計算し；各サンプリング周波数点と左右に隣接するサンプリング周波数点の初期PARを用いて、各サンプリング周波数点の初期PARに対して重み付けを行い、各サンプリング周波数点の確定PARを取得し；及び、全てのサンプリング周波数点の確定PARに対してソートを行い、ソート済みの全ての確定PARから、大から小への順序で、所定数のサンプリング周波数点及びそれらと左右に隣接する検出待ち周波数点を探索結果として選択することを含む。【選択図】図３
2013247682.tif 000002
【特許請求の範囲】
【請求項１】
キャリア周波数点を探索する方法であって、
所定周波数間隔に基づいて、所定周波数帯域内の全ての検出待ち周波数点を確定し；
所定ステップ長さに基づいて、前記全ての検出待ち周波数点のうちの一部の検出待ち周波数点をサンプリング周波数点として選択し、選択した各サンプリング周波数点に対して該サンプリング周波数点の初期PAR（ピーク対平均値比）を計算し；
各サンプリング周波数点と左右に隣接するサンプリング周波数点の初期PARを用いて、各サンプリング周波数点の初期PARに対して重み付けを行い、各サンプリング周波数点の確定PARを取得し；及び
全てのサンプリング周波数点の確定PARに対してソートを行い、ソート済みの全ての確定PARから、大から小への順序で、所定数のサンプリング周波数点及びそれらと左右に隣接する検出待ち周波数点を探索結果として選択することを含む、方法。
【請求項２】
請求項1に記載の方法であって、
各サンプリング周波数点に対して該サンプリング周波数点の初期PARを計算することは、
該サンプリング周波数点において、ローカルプライマリ同期信号を用いて、受信信号に対してセグメント相関を行い、該サンプリング周波数点のプライマリ同期信号シーケンス及びピークの位置を取得し；及び
該サンプリング周波数点のプライマリ同期信号シーケンス及びピークの位置に基づいて、該サンプリング周波数点の初期PARを計算することを含む、方法。
【請求項３】
請求項2に記載の方法であって、
次の式で、前記受信信号に対してセグメント相関を行い、
【数１６】
2013247682.tif 000018
前記サンプリング周波数点のプライマリ同期信号シーケンス及びピーク位置は、次の式で表され、
【数１７】
2013247682.tif 000019
ここで、r(k)は、受信した時間領域の信号サンプリング点であり、p(nZC,l)は、ローカルプライマリ同期シーケンスであり、nZCは、該プライマリ同期シーケンスの順番号であり、NFFTは、FFTを行う点の数である、方法。
【請求項４】
請求項2又は3に記載の方法であって、
次の式で、前記サンプリング周波数点の初期PARを計算し、
【数１８】
2013247682.tif 000020
ここで、Wmaskは、ピークウィンドウの点の数であり、TSCHTslotは、5msの探索時間のサンプリング点の数である、方法。
【請求項５】
請求項1に記載の方法であって、
各サンプリング周波数点に対して、次の式で、該サンプリング周波数点と左右に隣接するサンプリング周波数点の初期PARを用いて、該サンプリング周波数点の初期PARに対して重み付けを行い、該サンプリング周波数点の確定PARを取得し、
【数１９】
2013247682.tif 000021
ここで、重み係数は、ai=1、又は、
【数２０】
2013247682.tif 000022
であり、Mは、左右に隣接する、重み付けを行うための周波数点の数である、方法。
【請求項６】
請求項1に記載の方法であって、
前記所定周波数間隔は100kHzであり、前記所定ステップ長さはn≧1である、方法。
【請求項７】
請求項6に記載の方法であって、
サンプリング周波数点がfcである時に、該サンプリング周波数点と左右に隣接する検出待ち周波数点は、それぞれ、fc+100(n-1),…,fc+100[kHz]及びfc-100(n-1),…,fc-100[kHz]であり、ここで、n≧1である、方法。
【請求項８】
請求項7に記載の方法であって、
サンプリング周波数点がfcである時に、n=2とすれば、該サンプリング周波数点fcと左右に隣接する検出待ち周波数点は、それぞれ、fc+100（2-1）=fc+100及びfc-100（2-1）=fc-100であり；n=3とすれば、該サンプリング周波数点fcと左右に隣接する検出待ち周波数点は、それぞれ、fc+100（3-1）=fc+200、fc+100（2-1）=fc+100、及びfc-100（3-1）=fc-200、fc-100（2-1）=fc-100であり；n=4とすれば、該サンプリング周波数点fcと左右に隣接する検出待ち周波数点は、それぞれ、fc+100（4-1）=fc+300、fc+100（3-1）=fc+200、fc+100（2-1）=fc+100、及びfc-100（4-1）=fc-300、fc-100（3-1）=fc-200、fc-100（2-1）=fc-100である、方法。
【請求項９】
キャリア周波数点を探索するための装置であって、
所定周波数間隔に基づいて、所定周波数帯域内の全ての検出待ち周波数点を確定するための確定ユニット；
所定ステップ長さに基づいて、前記全ての検出待ち周波数点のうちの一部の検出待ち周波数点をサンプリング周波数点として選択し、選択した各サンプリング周波数点に対して該サンプリング周波数点の初期PARを計算するための計算ユニット；
各サンプリング周波数点と左右に隣接するサンプリング周波数点の初期PARを用いて、各サンプリング周波数点の初期PARに対して重み付けを行い、各サンプリング周波数点の確定PARを取得するための重み付けユニット；及び
全てのサンプリング周波数点の確定PARに対してソートを行い、ソート済みの全ての確定PARから、大から小への順序で、所定数のサンプリング周波数点及びそれらと左右に隣接する検出待ち周波数点を探索結果として選択するための選択ユニットを含む、装置。
【請求項１０】
請求項9に記載の装置を含む、ユーザ装置。
【発明の詳細な説明】
【技術分野】
【０００１】
本発明は、通信分野に関し、特に、キャリア周波数点を探索するための方法及び装置に関する。
【背景技術】
【０００２】
LTE-A（Long  Term  Evolution  Advanced）システムでは、使用可能なキャリア（搬送波）周波数点の数がますます増えており、LTE-Aシステムの要求を満たすように低複雑度及び高効率なキャリア周波数点の探索（search）方法を設計することがますます重要になっている。
【０００３】
従来のキャリア周波数点の探索アルゴリズムは、LTEシステムのプライマリ同期信号(PSS、primary  synchronization  signal)により実現されている。使用可能な周波数帯域全体では、100KHz毎にキャリア周波数点に対してPSS検出を行い、対応する周波数点のPAR（peak-to-average  ratio；ピーク対平均値比）を算出し、これにより、一つ又は複数の周波数点を候補として選択し、後続のセル探索を行う。具体的なプロセスは、図1に示すようである。図１は、従来のキャリア周波数点の探索方法のフローチャートである。
【０００４】
しかし、本発明の発明者は、本発明の実現過程において、LTE-Aでは、使用可能なキャリア周波数点の数がとても大きく、例えば、BAND1(2110MHz〜2170MHz)の場合、従来のキャリア周波数点の探索方法により、100KHzのキャリア周波数間隔で探索を行えば、600個のキャリア周波数点を探索する必要があるため、探索時間がとても長いということに気付いた。一方、PSSは周波数オフセットにとても敏感であり、周波数オフセットが400KHz範囲内にある時は、PSS相関の相関ピークが依然としてとても大きいので、得られたPAR（C_ratio）もとても大きい。これは、キャリア周波数点の探索パフォーマンス及び正確な検出率に直接影響する。図2は、二つのPSSを例としての周波数オフセット（CFO）及びPSS相関に基づいて作られたピーク対平均値比（C_ratio）を示す図である。また、フェージングチャネル（fading  channel）の場合、不用な周波数点の検出を行う時に経過するチャネルが異なるため、正確な周波数点の検出がフェージングチャネルの影響を受け、そのPARが他の周波数点から得られたPARよりも低くなる可能性があり、これにより、今回の検出に失敗してしまう可能性がある。
【発明の概要】
【発明が解決しようとする課題】
【０００５】
本発明の目的は、上述の問題を解決するために、キャリア周波数点を探索する方法及び装置を提供することにある。
【課題を解決するための手段】
【０００６】
本発明の一実施例によれば、キャリア周波数点を探索するための方法が提供され、該方法は、所定周波数間隔に基づいて、所定周波数帯域内の全ての検出待ち周波数点を確定し；所定ステップ長さ（step  length）に基づいて、前記全ての検出待ち周波数点のうち一部の検出待ち周波数点をサンプリング周波数点として選択し、選択した各サンプリング周波数点に対して、該サンプリング周波数点の初期PARを算出し；各サンプリング周波数点と左右に隣接するサンプリング周波数点の初期PARを用いて、各サンプリング周波数点の初期PARに対して重み付けを行い、各サンプリング周波数点の確定PARを取得し；及び、全てのサンプリング周波数点の確定PARに対してソート（並べ替え）を行い、ソート済みの全ての確定PARから、大から小への順序で、所定数のサンプリング周波数点及びそれらと左右に隣接する検出待ち周波数点を探索結果として選択することを含む。
【０００７】
本発明の一実施例によれば、キャリア周波数点を探索するための装置が提供され、該装置は、所定周波数間隔に基づいて、所定周波数帯域内の全ての検出待ち周波数点を確定するための確定ユニット；所定ステップ長さに基づいて、前記全ての検出待ち周波数点のうちの一部の検出待ち周波数点をサンプリング周波数点として選択し、選択した各サンプリング周波数点に対して該サンプリング周波数点の初期PARを算出するための計算ユニット；各サンプリング周波数点と左右に隣接するサンプリング周波数点の初期PARを用いて、各サンプリング周波数点の初期PARに対して重み付けを行い、各サンプリング周波数点の確定PARを取得するための重み付けユニット；及び、全てのサンプリング周波数点の確定PARに対してソートを行い、ソート済みの全ての確定PARから、大から小へ順序で、所定数のサンプリング周波数点及びそれらと左右に隣接する検出待ち周波数点を探索結果として選択するための選択ユニットを含む。
【０００８】
本発明の一実施例によれば、ユーザ装置が提供され、該ユーザ装置は、キャリア周波数点を探索するための上述の装置を含む。
【０００９】
本発明の実施例による有益な効果は、上述の方法及び装置により、キャリア周波数点の探索精度を向上させ、複雑度を低減し得ることにある。
【図面の簡単な説明】
【００１０】
【図１】従来技術による周波数点の探索方法のフローチャートである。
【図２】CFOとC_ratioとの対比を示す図である。
【図３】本発明の実施例によるキャリア周波数点の探索方法のフローチャートである。
【図４】本発明の実施例によるサンプリング周波数点の初期PARを計算するフローチャートである。
【図５】本発明の実施例によるキャリア周波数点の探索方法の探索プロセス全体を示す図である。
【図６】本発明の実施例によるキャリア周波数点の探索装置の構成図である。
【図７】本発明の実施例によるユーザ装置の構成図である。
【発明を実施するための形態】
【００１１】
以下、添付した図面を参照しながら本発明の好適な実施形態について説明を行う。なお、本発明の実施形態では、LTE-Aのキャリア周波数点の探索方法を例として説明を行うが、理解すべきは、本発明の実施例が上述のシステムに限定されず、キャリア周波数点の探索に関連する他のシステムにも適用され得るとのことである。
【実施例１】
【００１２】
本発明の実施例は、キャリア周波数点を探索する方法を提供する。図3は、該方法のフローチャートである。図3に示すように、該方法は、次のステップを含む。
【００１３】
ステップ301：所定周波数間隔に基づいて、一つの所定周波数帯域内の全ての検出待ち周波数点を確定する。
【００１４】
そのうち、上述の所定周波数間隔は100kHzであってもよく、上述の一つの所定周波数帯域はBAND1、即ち、2110MHz〜2170MHzであってもよいが、本実施例では、これらに限定されない。言い換えると、ステップ301により、2110MHz〜2170MHzの範囲内で、100kHz毎に一つの検出待ち周波数点を確定し、これにより、この2110MHz〜2170MHzの範囲内の全ての検出待ち周波数点を確定する。
【００１５】
ステップ302：所定ステップ長さに基づいて、上述の全ての検出待ち周波数点のうちの一部の検出待ち周波数点をサンプリング周波数点として選択し、選択した各サンプリング周波数点に対して該サンプリング周波数点の初期PARを計算する。
【００１６】
そのうち、上述の所定ステップ長さは1以上の任意の自然数であってもよく、即ち、所定ステップ長さはnと表されると、n≧1である。ステップ302により、所定ステップ長さを間隔として、ステップ301により確定された検出待ち周波数点から、一部をサンプリング周波数点として選択する。言い換えると、例えば、n個の検出待ち周波数点毎に、一つの検出待ち周波数点をサンプリング周波数点として選択する。
【００１７】
そのうち、サンプリング周波数点の初期PARを計算する方法は、従来の手段により実現され得るが、本実施例では、これに限定されず、次の説明でも、例を挙げて詳しく説明する。
【００１８】
ステップ303：各サンプリング周波数点と左右に隣接するサンプリング周波数点の初期PARを用いて、各サンプリング周波数点の初期PARに対して重み付けを行い、各サンプリング周波数点の確定PARを取得する。
【００１９】
そのうち、各サンプリング周波数点に対して、ステップ303により、該サンプリング周波数点と左右に隣接するサンプリング周波数点の初期PARを利用して、該サンプリング周波数点の初期PARに対して重み付けを行い、該サンプリング周波数点の確定PARを取得する。
【００２０】
例えば、サンプリング周波数点fcに対して、その左側の隣接するサンプリング周波数点は、fc+100(n-1),…,fc+100[kHz]であり、その右側の隣接するサンプリング周波数点は、fc-100(n-1),…,fc-100[kHz]であり、nは、所定ステップ長さであり、且つn≧1である。
【００２１】
具体的に、n=2とすれば、該サンプリング周波数点fcと左右に隣接する検出待ち周波数点は、それぞれ、fc+100（2-1）=fc+100及びfc-100（2-1）=fc-100であり；n=3とすれば、該サンプリング周波数点fcと左右に隣接する検出待ち周波数点は、それぞれ、fc+100（3-1）=fc+200、fc+100（2-1）=fc+100、及びfc-100（3-1）=fc-200、fc-100（2-1）=fc-100であり；n=4とすれば、該サンプリング周波数点fcと左右に隣接する検出待ち周波数点は、それぞれ、fc+100（4-1）=fc+300、fc+100（3-1）=fc+200、fc+100（2-1）=fc+100、及びfc-100（4-1）=fc-300、fc-100（3-1）=fc-200、fc-100（2-1）=fc-100である。これに基づいて類推することができるので、ここでは、他の例を省略する。
【００２２】
ステップ303により、サンプリング周波数点fc+100(n-1),…,  fc+100[kHz]の初期PAR及びサンプリング周波数点fc-100(n-1),…,fc-100[kHz]の初期PARを利用して、サンプリング周波数点fcの初期PARに対して重み付けを行い、該サンプリング周波数点fcの確定PARを取得する。
【００２３】
そのうち、本実施例では、重み付け計算方法について限定せず、従来の任意の重み付け計算方法を使用することができる。また、次の説明でも、例を挙げて詳しく説明する。
【００２４】
ステップ304：全てのサンプリング周波数点の確定PARに対してソートを行い、確定PARの大から小への順序で、所定数のサンプリング周波数点及びそれらと左右に隣接する検出待ち周波数点を探索結果として選択する。
【００２５】
そのうち、ステップ303により、全てのサンプリング周波数点の確定PARを取得することができ、ステップ304により、該全てのサンプリング周波数点の確定PARをソートし、そして、前の所定数のサンプリング周波数点及びそれらと左右に隣接する検出待ち周波数点を探索結果として選択することができる。
【００２６】
例えば、確定PARに基づいてサンプリング周波数点fcを選択すれば、その同時に、該fcと左右に隣接する検出待ち周波数点fc+100(n-1)及びfc-100(n-1)を選択し、そして、選択したこれらの結果を探索結果とする。
【００２７】
本実施例の方法によれば、キャリア周波数点の探索精度を向上させ、複雑度を低減することができる。
【００２８】
ステップ302の一実施例では、図4に示すような方法で、各サンプリング周波数点の初期PARを計算することができる。図4に示すように、該方法は、次のステップを含む。
【００２９】
ステップ401：上述のサンプリング周波数点において、ローカル（local）プライマリ同期信号を用いて、受信信号に対してセグメント相関（segment  correlation）を行い、上述のサンプリング周波数点のプライマリ同期信号シーケンス及びピークの位置を取得する。
【００３０】
一実施例では、次の式で受信信号に対してセグメント相関を行ってもよい。
【数１】
2013247682.tif 000003
そのうち、r(k)は、受信した時間領域の信号サンプリング点であり、p(nZC,l)は、ローカルプライマリ同期シーケンスであり、nZCは、そのプライマリ同期シーケンスの順番号であり、NFFTは、FFT（Fast  Fourier  Transform）を行う点の数である。
【００３１】
これにより、該サンプリング周波数点のプライマリ同期信号シーケンス及びピークの位置を取得し、次のように表すことができる。
【数２】
2013247682.tif 000004
そのうち、nZCは、プライマリ同期信号シーケンスの順番号であり、nZC_maxは、選択された最大のプライマリ同期信号シーケンスの順番号であり、kmaxは、ピークの位置である。
【００３２】
ステップ402：上述のサンプリング周波数点のプライマリ同期信号シーケンス及びピークの位置に基づいて、上述のサンプリング周波数点の初期PARを計算する。
【００３３】
そのうち、nZC_maxが対応するプライマリ同期信号シーケンス及びピークの位置kmaxを利用して、該サンプリング周波数点の初期PARを確定することができる。
【００３４】
例えば、次の式で、該サンプリング周波数点の初期PARを確定してもよい。
【数３】
2013247682.tif 000005
そのうち、Wmaskは、ピークウィンドウ（peak  window）の点の数であり、mask点数と称され、TSCHTslotは、5msの探索時間のサンプリング点の数である。
【００３５】
図4に示す方法により、全てのサンプリング周波数点の各自の初期PARを確定することができる。
【００３６】
ステップ303の一実施例では、各サンプリング周波数点に対して、次の式で、該サンプリング周波数点と左右に隣接するサンプリング周波数点の初期PARを用いて、該サンプリング周波数点の初期PARに対して重み付けを行い、該サンプリング周波数点の確定PARを取得することができる。
【数４】
2013247682.tif 000006
そのうち、重み係数は、
【数５】
2013247682.tif 000007
である。そのうち、Mは、左右に隣接する、重み付けを行うための周波数点の数である。
【００３７】
上述の重み付け計算方法により、全てのサンプリング周波数点の各自の確定PARを取得することができる。
【００３８】
なお、上述の重み付け計算方法は、一例だけであり、本発明の実施例では、これに限定されず、例えば、重み係数は、線形重み係数、即ち、重みファクターai=1であってもよい。
【００３９】
また、本実施例の方法をより明確にするために、次に、図5に示す探索プロセス全体に基づいて該方法について説明を行う。図5を参照するに、該プロセスは、次のステップを含む。
【００４０】
ステップ501：サンプリング周波数点fcを設置し；
ステップ502：サンプリング周波数点を探索し；
ステップ503：所定周波数帯域内の全てのサンプリング周波数点に対しての探索が完了しているかどうかを判断し、前者の場合、ステップ504を実行し、後者の場合、所定ステップ長さnに基づいて、次の一つのサンプリング周波数点を確定し、ステップ501に戻し；
ステップ504：各サンプリング周波数点の初期PARを（セグメント相関により）計算し；
ステップ505：各サンプリング周波数点の確定PARを（重み付け計算により）確定し；及び
ステップ506：確定PARに対してソートを行い、前の所定数のサンプリング周波数点及びその全ての隣接する検出待ち周波数点を探索結果として選択する。
【００４１】
本実施例における方法によれば、キャリア周波数点を探索するためのステップ長さを増加させることにより、複雑度を低減することができる。各サンプリング周波数点（ステップ長さを増加させた後の検出待ち周波数点）のPAR（初期PAR）に対して重み付けを行うことにより、探索の精度を向上させることができる。
【００４２】
本発明の実施例は、キャリア周波数点を探索するための装置をも提供する。次の実施例2に示すように、該装置が上述の問題を解決する原理は、実施例1の方法と類似するので、その具体的な実施については、上述の方法の実施を参照することができるので、ここでは、その詳しい説明を省略する。
【実施例２】
【００４３】
本発明の実施例は、キャリア周波数点を探索するための装置を提供する。図6は、該装置の構成図であり、図6に示すように、該装置は、次のユニットを含む。
【００４４】
確定ユニット61：所定周波数間隔に基づいて、一つの所定周波数帯域内の全ての検出待ち周波数点を確定する。
【００４５】
計算ユニット62：所定ステップ長さに基づいて、上述の全ての検出待ち周波数点のうちの一部の検出待ち周波数点をサンプリング周波数点として選択し、各サンプリング周波数点に対して該サンプリング周波数点の初期PARを計算する。
【００４６】
重み付けユニット63：各サンプリング周波数点と左右に隣接するサンプリング周波数点の初期PARを用いて、各サンプリング周波数点の初期PARに対して重み付けを行い、各サンプリング周波数点の確定PARを取得する。
【００４７】
選択ユニット64：全てのサンプリング周波数点の確定PARに対してソートを行い、そして、確定PARの大から小への順序で、所定数のサンプリング周波数点及びそれらと左右に隣接する検出待ち周波数点を探索結果として選択する。
【００４８】
一実施例では、計算ユニット62は、次のモジュールを含んでもよい。
【００４９】
相関モジュール621：各サンプリング周波数点に対して、該サンプリング周波数点において、ローカルプライマリ同期信号を用いて、受信信号に対してセグメント相関を行い、該サンプリング周波数点のプライマリ同期信号シーケンス及びピークの位置を取得する。
【００５０】
計算モジュール622：該サンプリング周波数点のプライマリ同期信号シーケンス及びピークの位置に基づいて、該サンプリング周波数点の初期PARを計算する。
【００５１】
そのうち、相関モジュール621は、次の式で、受信信号に対してセグメント相関を行ってもよい。
【数６】
2013247682.tif 000008
これにより得られた該サンプリング周波数点のプライマリ同期信号シーケンス及びピークの位置は、次のように表され得る。
【数７】
2013247682.tif 000009
そのうち、各参数の意味は、上述と同様であるので、ここでは、その説明を省略する。
【００５２】
また、計算モジュール622は、次の式で、該サンプリング周波数点の初期PARを計算してもよい。
【数８】
2013247682.tif 000010
そのうち、各参数の意味は、上述と同様であるので、ここでは、その説明を省略する。
【００５３】
一実施例では、重み付けユニット6が、各サンプリング周波数点に対して、次の式で、上述のサンプリング周波数点と左右に隣接するサンプリング周波数点の初期PARを用いて、上述のサンプリング周波数点の初期PARに対して重み付けを行い、上述のサンプリング周波数点の確定PARを取得することができる。
【数９】
2013247682.tif 000011
そのうち、重み係数は、
【数１０】
2013247682.tif 000012
である。
【００５４】
また、そのうちの各参数の意味は上述と同様であるので、ここでは、その説明を省略する。
【００５５】
上述の実施例では、所定周波数間隔が100kHzであってもよく、所定ステップ長さは、n≧1であってもよい。
【００５６】
サンプリング周波数点がfcである時に、該サンプリング周波数点と左右に隣接する検出待ち周波数点は、それぞれ、fc+100(n-1),…,fc+100[kHz]及びfc-100(n-1),…,fc-100[kHz]であり、そのうち、n≧1である。例えば、n=2とすれば、該サンプリング周波数点fcと左右に隣接する検出待ち周波数点は、それぞれ、fc+100（2-1）=fc+100及びfc-100（2-1）=fc-100であり；n=3とすれば、該サンプリング周波数点fcと左右に隣接する検出待ち周波数点は、それぞれ、fc+100（3-1）=fc+200、fc+100（2-1）=fc+100、及びfc-100（3-1）=fc-200、fc-100（2-1）=fc-100であり；n=4とすれば、該サンプリング周波数点fcと左右に隣接する検出待ち周波数点は、それぞれ、fc+100（4-1）=fc+300、fc+100（3-1）=fc+200、fc+100（2-1）=fc+100、及びfc-100（4-1）=fc-300、fc-100（3-1）=fc-200、fc-100（2-1）=fc-100である。これに基づいて類推することができるので、ここでは、他の例を省略する。
【００５７】
本実施例の装置によれば、キャリア周波数点を探索するためのステップ長さを増加させることにより、複雑度を低減することができる。各サンプリング周波数点（ステップ長さを増加させた後の検出待ち周波数点）のPAR（初期PAR）に対して重み付けを行うことにより、探索の精度を向上させることができる。
【実施例３】
【００５８】
本発明の実施例は、ユーザ装置をも提供する。図7は、該ユーザ装置の構成図である。図7を参照するに、該ユーザ装置は、その元の構成及び機能を含み、また、キャリア周波数点探索装置71を更に含む。
【００５９】
本実施例では、該キャリア周波数点探索装置71が、本発明の実施例2による、キャリア周波数点を探索するための装置によって実現され得るので、ここでは、その詳しい説明を省略する。
【００６０】
本実施例のユーザ装置によれば、キャリア周波数点の探索を行う時に、キャリア周波数点を探索するためのステップ長さを増加させることにより、複雑度を低減することができる。各サンプリング周波数点（ステップ長さを増加させた後の検出待ち周波数点）のPAR（初期PAR）に対して重み付けを行うことにより、探索の精度を向上させることができる。
【００６１】
また、上述の各実施例を含む実施形態に関し、更に以下の付記を開示する。
【００６２】
（付記1）
キャリア周波数点を探索する方法であって、
所定周波数間隔に基づいて、所定周波数帯域内の全ての検出待ち周波数点を確定し；
所定ステップ長さに基づいて、前記全ての検出待ち周波数点のうちの一部の検出待ち周波数点をサンプリング周波数点として選択し、選択した各サンプリング周波数点に対して該サンプリング周波数点の初期PAR（ピーク対平均値比）を計算し；
各サンプリング周波数点と左右に隣接するサンプリング周波数点の初期PARを用いて、各サンプリング周波数点の初期PARに対して重み付けを行い、各サンプリング周波数点の確定PARを取得し；及び
全てのサンプリング周波数点の確定PARに対してソートを行い、ソート済みの全ての確定PARから、大から小への順序で、所定数のサンプリング周波数点及びそれらと左右に隣接する検出待ち周波数点を探索結果として選択することを含む、方法。
【００６３】
（付記２）
付記1に記載の方法であって、
各サンプリング周波数点に対して該サンプリング周波数点の初期PARを計算することは、
該サンプリング周波数点において、ローカルプライマリ同期信号を用いて、受信信号に対してセグメント相関を行い、該サンプリング周波数点のプライマリ同期信号シーケンス及びピークの位置を取得し；及び
該サンプリング周波数点のプライマリ同期信号シーケンス及びピークの位置に基づいて、該サンプリング周波数点の初期PARを計算することを含む、方法。
【００６４】
（付記３）
付記2に記載の方法であって、
次の式で、前記受信信号に対してセグメント相関を行い、
【数１１】
2013247682.tif 000013
前記サンプリング周波数点のプライマリ同期信号シーケンス及びピーク位置は、次の式で表され、
【数１２】
2013247682.tif 000014
ここで、r(k)は、受信した時間領域の信号サンプリング点であり、p(nZC,l)は、ローカルプライマリ同期シーケンスであり、nZCは、そのプライマリ同期シーケンスの順番号であり、NFFTは、FFTを行う点の数である、方法。
【００６５】
（付記４）
付記2又は3に記載の方法であって、
次の式で、前記サンプリング周波数点の初期PARを計算し、
【数１３】
2013247682.tif 000015
ここで、Wmaskは、ピークウィンドウの点の数であり、TSCHTslotは、5msの探索時間のサンプリング点の数である、方法。
【００６６】
（付記５）
付記1に記載の方法であって、
各サンプリング周波数点に対して、次の式で、該サンプリング周波数点と左右に隣接するサンプリング周波数点の初期PARを用いて、該サンプリング周波数点の初期PARに対して重み付けを行い、該サンプリング周波数点の確定PARを取得し、
【数１４】
2013247682.tif 000016
ここで、重み係数は、ai=1、又は、
【数１５】
2013247682.tif 000017
であり、Mは、左右に隣接する、重み付けを行うための周波数点の数である、方法。
【００６７】
（付記６）
付記1に記載の方法であって、
前記所定周波数間隔は100kHzであり、前記所定ステップ長さはn>=1である、方法。
【００６８】
（付記７）
付記6に記載の方法であって、
サンプリング周波数点がfcである時に、該サンプリング周波数点と左右に隣接する検出待ち周波数点は、それぞれ、fc+100(n-1),…,fc+100[kHz]及びfc-100(n-1),…,fc-100[kHz]であり、ここで、n≧1である、方法。
【００６９】
（付記８）
付記7に記載の方法であって、
サンプリング周波数点がfcである時に、n=2とすれば、該サンプリング周波数点fcと左右に隣接する検出待ち周波数点は、それぞれ、fc+100（2-1）=fc+100及びfc-100（2-1）=fc-100であり；n=3とすれば、該サンプリング周波数点fcと左右に隣接する検出待ち周波数点は、それぞれ、fc+100（3-1）=fc+200、fc+100（2-1）=fc+100、及びfc-100（3-1）=fc-200、fc-100（2-1）=fc-100であり；n=4とすれば、該サンプリング周波数点fcと左右に隣接する検出待ち周波数点は、それぞれ、fc+100（4-1）=fc+300、fc+100（3-1）=fc+200、fc+100（2-1）=fc+100、及びfc-100（4-1）=fc-300、fc-100（3-1）=fc-200、fc-100（2-1）=fc-100である、方法。
【００７０】
（付記９）
キャリア周波数点を探索するための装置であって、
所定周波数間隔に基づいて、所定周波数帯域内の全ての検出待ち周波数点を確定するための確定ユニット；
所定ステップ長さに基づいて、前記全ての検出待ち周波数点のうちの一部の検出待ち周波数点をサンプリング周波数点として選択し、選択した各サンプリング周波数点に対して該サンプリング周波数点の初期PARを計算するための計算ユニット；
各サンプリング周波数点と左右に隣接するサンプリング周波数点の初期PARを用いて、各サンプリング周波数点の初期PARに対して重み付けを行い、各サンプリング周波数点の確定PARを取得するための重み付けユニット；及び
全てのサンプリング周波数点の確定PARに対してソートを行い、ソート済みの全ての確定PARから、大から小への順序で、所定数のサンプリング周波数点及びそれらと左右に隣接する検出待ち周波数点を探索結果として選択するための選択ユニットを含む、装置。
【００７１】
（付記１０）
付記9に記載の装置を含むユーザ装置。
【００７２】
以上、本発明の好ましい実施形態を説明したが、本発明はこの実施形態に限定されず、本発明の趣旨を離脱しない限り、本発明に対するあらゆる変更は本発明の技術の範囲に属する。
【図１】
2013247682.tif 000023
【図２】
2013247682.tif 000024
【図３】
2013247682.tif 000025
【図４】
2013247682.tif 000026
【図５】
2013247682.tif 000027
【図６】
2013247682.tif 000028
【図７】
2013247682.tif 000029